(57)【要約】【課題】建具において、断熱性能を向上させる。【解決手段】枠体の室内側に露出する部位にケース体が取り付けられており、ケース体は、断熱材を収容する収容空間を有しており、障子の框体の室内側面を覆っている。【選択図】  図１
2020070665.tif 000002
【特許請求の範囲】
【請求項１】
枠体の室内側に露出する部位にケース体が取り付けられており、
ケース体は、断熱材を収容する収容空間を有しており、障子の框体の室内側面を覆っている
断熱建具。
【発明の詳細な説明】
【技術分野】
【０００１】
本発明は、建物開口部に配置される断熱建具に関する。
【背景技術】
【０００２】
合成樹脂により枠および障子を形成した建具が知られている。
【先行技術文献】
【特許文献】
【０００３】
【特許文献１】特開２０００−１９２７３４号公報
【発明の概要】
【発明が解決しようとする課題】
【０００４】
上記特許文献１に記載された建具のように、樹脂形材により形成された樹脂サッシは断熱性能に優れている。
しかし近年、サッシにおいて、さらに高い断熱性能が求められている。
【０００５】
本発明は、サッシにおいて、さらに高い断熱性能を付与することを目的とする。
【課題を解決するための手段】
【０００６】
本発明の一実施形態は、枠体の室内側に露出する部位にケース体が取り付けられており、ケース体は、断熱材を収容する収容空間を有しており、障子の框体の室内側面を覆っている断熱建具である。
【発明の効果】
【０００７】
本実施形態の断熱建具の構成により、さらに高い断熱性能を付与することができる。
【図面の簡単な説明】
【０００８】
【図１】第１の実施形態に係る建具の図であり、（ａ）は竪断面図、（ｂ）はケース体の断面図、（ｃ）は断熱材を収容したケース体の断面図である。
【図２】第１の実施形態に係る建具の横断面図である。
【図３】第２の実施形態に係る建具の図であり、（ａ）は竪断面図、（ｂ）はケース体の断面図、（ｃ）は断熱材を収容したケース体の断面図である。
【図４】第２の実施形態に係る建具の横断面図である。
【図５】（ａ）は第１の実施形態に係る建具の内観図、（ｂ）は第２の実施形態に係る建具の内観図である。
【図６】（ａ）は第３の実施形態に係る建具の上枠部分の竪断面図、（ｂ）は第３の実施形態に係るケース体の断面図、（ｃ）は第４の実施形態に係る建具の上枠部分の竪断面図、（ｄ）は第４の実施形態に係るケース体の断面図である。
【図７】（ａ）（ｂ）は第３及の実施形態に係る建具のハンドル部分の図、（ｃ）（ｄ）は第４の実施形態に係る建具のハンドル部分の図である。
【図８】（ａ）（ｂ）は他の実施形態に係る建具の横断面図である。
【図９】（ａ）（ｂ）は他の実施形態に係る建具の横断面図である。
【発明を実施するための形態】
【０００９】
本発明の実施形態は、建具の枠体１の室内側に露出する部位に、内部に断熱材６が収容されたケース体５を配置することで、断熱性能を向上させた断熱建具である。
以下、具体的に説明する。
【００１０】
−第１の実施形態−
第１の実施形態の断熱建具について、図１及び図２に示す、枠体１の内周に障子２が開閉自在に配置されてなるすべり出し窓を用いて説明する。
枠体１は、合成樹脂材料からなる上枠１１、下枠１２及び左右の竪枠１３，１３を有している。上枠１１、下枠１２及び左右の竪枠１３，１３は断面形状が同じ枠材であり、各枠材の端部が４５度の角度で切断され、端面同士を当接させて溶接することで四周にわたる枠体１が形成されている。
【００１１】
一方、障子２は、合成樹脂材料からなる上框２１、下框２２及び左右の竪框２３，２３を有している。上框２１、下框２２及び左右の竪框２３，２３は断面形状が同じ框材であり、各框材の端部が４５度の角度で切断され、端面同士を当接させて溶接することで四周にわたる框体が形成されている。そして、框体の内周には複層ガラス２５が配置されている。
【００１２】
（上枠部分の構成）
枠体１の上枠１１は、図１（ａ）に示すように、複数の中空部を有する上枠本体部１１１と、上枠本体部１１１の室内側内周面から内周方向に延設される室内側壁部１１２と、上枠本体部１１１の室内側端から室内方向に延びるアングル部１１３を有している。上枠本体部１１１の一部もしくはすべての中空部内には、真空断熱材等の断熱材６６が収容されていてもよい。
【００１３】
室内側壁部１１２の室外側面の内周端には、障子２の上框２１の室内側面に当接する気密材ｓ１が配置されており、上枠本体部１１１の内周面から室内側壁部１１２の室外側面にかけて断面略Ｌ字状の断熱シート８１及び合成樹脂製の断熱シートカバー９１が配置されている。また、上枠１１の室内側壁部１１２は、室内側下端に内周凸部１１２ａを有している。
【００１４】
障子２の上框２１は、複数の中空部を有する上框本体部２１１と、上框本体部２１１の室外側外周面から外周方向に延設される室外側壁部２１２を有しており、上框本体部２１１の室外側内周部分に押縁２１３が取り付けられ、複層ガラス２５の外周を保持するガラス間口２１１ａが形成されている。
室外側壁部２１２の室内側面の外周端には、上枠１１の上枠本体部１１１の室外側面に当接する気密材ｓ２が配置されている。また、枠体１の上枠本体部１１１の内周面と障子２の上框本体部２１１の外周面との間には、障子２のすべり出し開閉を可能にするリンク機構４１が配置されている。
【００１５】
そして、本実施形態においては、上枠１１の上枠本体部１１１及び室内側壁部１１２の室内側面と、アングル部１１３及び室内側壁部１１２の内周面に、断熱材６１を収容したケース体５１が配置されており、上枠１１の室内側面及び障子２の上框２１の室内側面を覆っている。
【００１６】
上枠１１に取り付けられるケース体５１は、合成樹脂材料からなり、図１（ｂ）に示すように、上枠１１のアングル部１１３の内周面に当接される外周壁部５１ａと、外周壁部５１ａの室外側端から下方に延びる外周側室外壁部５１ｂと、外周壁部５１ａの室内側端から下方に延び下方部分が室外側に傾斜する傾斜面として形成されている室内壁部５１ｃと、室内壁部５１ｃの下端から室外側に延びる内周壁部５１ｄと、内周壁部５１ｄの室外側端から上方に延びる内周側室外壁部５１ｅと、内周側室外壁部５１ｅの上端から室内側に向かって延びる固定壁部５１ｆを有し、全体として断熱材６１を収容する収容空間Ｓを形成している。
【００１７】
そして、ケース体５１は、外周側室外壁部５１ｂと固定壁部５１ｆとの間に収容空間Ｓに連続する開口部ａが形成されており、図１（ｃ）に示すように、開口部ａを介して真空断熱材等の断熱材６１を収容することができる。そして、断熱材６１は、内周部分を障子２の上框２１に近接させて覆うことができるので、障子２の室内側を通って冷熱が伝達することを抑制することができ、断熱性を向上させることができる。
また、ケース体５１の内周壁部５１ｄの室外側から室外側方向に向かって突片５１ｇが形成されている。なお、突片５１ｇは、ケース体５１と同じ硬質の合成樹脂材料によって形成されてもよいが、軟質の合成樹脂材料によって形成されていてもよい。
【００１８】
そして、断熱材６１を収容したケース体５１は、外周壁部５１ａを上枠１１のアングル部１１３の内周面に当接させるとともに、固定壁部５１ｆを上枠の室内側壁部１１２の内周面に当接させて、開口部ａを上枠１１の室内側面によって閉鎖した状態で、両面テープ等の取付手段によって上枠１１の室内側に露出する部分を覆うように取り付けられている。
この時、室内側壁部１１２の室内側下端の内周凸部１１２ａに対して固定壁部５１ｆの室内側端が当接することで、安定した取付状態を維持することができる。
【００１９】
上枠１１に取り付けられたケース体５１は、内周端が障子２の上框２１の内周端とほぼ同じ高さ位置となって上框２１の室内側面を覆い、障子２の上框２１の室内側面が室内に露出することを防止している。
そして、内周壁部５１ｄに形成された突片５１ｇが上框２１の室内側下端部分に対して近接もしくは当接することで、上框２１の室内側面とケース体５１の内周側室外壁部５１ｅの室外側面との間に断熱空間Ａを形成している。
【００２０】
以上、ケース体５による断熱構造について上枠部分を用いて説明したが、下枠部分及び左右竪枠部分における断熱構造も上枠部分と同様である。
すなわち、下枠１２は、図１（ａ）に示すように、下枠本体部１２１、室内側壁部１２２及びアングル部１２３を備えており、下框２２は、複数の中空部を有する下框本体部２２１と、下框本体部２２１の室外側外周面から外周方向に延設される室外側壁部２２２を有しており、下框本体部２２１の室外側内周部分に押縁２２３が取り付けられ、複層ガラス２５の外周を保持するガラス間口２２１ａが形成されている。
【００２１】
枠体１の下枠本体部１２１の内周面と障子２の下框本体部２２１の外周面との間には、障子２のすべり出し開閉を可能にするリンク機構４１が配置されている。
【００２２】
そして、断熱材６２を収容したケース体５２は、外周壁部５２ａを下枠１２のアングル部１２３の内周面に当接させるとともに、固定壁部５２ｆを下枠の室内側壁部１２２の内周面に当接させて、開口部ａを下枠１２の室内側面によって閉鎖した状態で、両面テープ等の取付手段によって下枠１２の室内側に露出する部分を覆うように取り付けられている。
【００２３】
下枠１２に取り付けられたケース体５２は、内周端が障子２の下框２２の内周端とほぼ同じ高さ位置となって下框２２の室内側面を覆い、障子２の下框２２の室内側面が室内に露出することを防止している。
そして、内周壁部５２ｄに形成された突片５２ｇが下框２２の室内側下端部分に対して近接もしくは当接することで、下框２２の室内側面とケース体５２の内周側室外壁部５２ｅの室外側面との間に断熱空間を形成している。
【００２４】
また、竪枠１３は、図２に示すように、竪枠本体部１３１、室内側壁部１３２及びアングル部１３３を備えており、竪框２３は、複数の中空部を有する竪框本体部２３１と、竪框本体部２３１の室外側外周面から外周方向に延設される室外側壁部２３２を有しており、竪框本体部２３１の室外側内周部分に押縁２３３が取り付けられ、複層ガラス２５の外周を保持するガラス間口２３１ａが形成されている。
【００２５】
枠体１の竪枠本体部１３１の内周面と障子２の竪框本体部２３１の外周面との間には、障子２の閉鎖状態を補助、維持する引寄せ手段４３もしくはロック機構４４等が配置されている。
【００２６】
そして、断熱材６３を収容したケース体５３は、外周壁部５３ａを竪枠１３のアングル部１３３の内周面に当接させるとともに、固定壁部５３ｆを竪枠１３の室内側壁部１３２の内周面に当接させて、開口部ａを竪枠１３の室内側面によって閉鎖した状態で、両面テープ等の取付手段によって竪枠１３の室内側に露出する部分を覆うように取り付けられている。
【００２７】
竪枠１３に取り付けられたケース体５３は、内周端が左右方向で障子２の竪框２３の内周端とほぼ同じ位置となって竪框２３の室内側面を覆い、障子２の竪框２３の室内側面が室内に露出することを防止している。
また、内周壁部５３ｄに形成された突片５３ｇが竪框２３の室内側下端部分に対して近接もしくは当接することで、竪框２３の室内側面とケース体５３の内周側室外壁部５３ｅの室外側面との間に断熱空間を形成している。
【００２８】
なお、障子２の右の竪框２３にハンドル４６（点線で示す）が取り付けられており、右の竪枠１３のケース体５３はハンドル４６の取付部分において一部切り欠かれている。
【００２９】
以上の本実施形態の断熱建具においては、図５（ａ）に示すように、ケース体５は、枠体１の室内側面から障子２の框体の室内側面に亘る広い範囲を覆うことができ、建具に対してさらに高い断熱性能を付与することができる。
そして、本実施形態におけるケース体５は、断熱材６を収容する収容空間に連続する開口部ａを長手方向に沿って有しているので、収容空間Ｓに対して断熱材６を簡単に出し入れすることができ、断熱材６が劣化した際の交換を容易に行うことできるとともに、収容空間内での断熱材の配置状況を確認しながら作業ができるので、施工性が良い。
また、ケース体５は、開口部ａを有することで変形追従性を備えることができ、ケース体５を取り付ける枠体が変形している場合であっても、枠体の表面に密着するように取り付けることができる。
なお、本実施形態におけるケース体５は、一部に開口部ａを有するものであるが、開口部を有さずに中空構造として、該中空部を断熱材を収容する収容空間とするものであってもよい。
【００３０】
−第２の実施形態−
第２の実施形態の断熱建具について、図３及び図４に示す、枠体１の内周に障子２が開閉自在に配置されてなる、横開き窓の例を用いて説明する。
本実施形態の断熱建具において、枠体１は、合成樹脂材料からなり断面形状が同じ枠材である上枠１１、下枠１２及び左右の竪枠１３，１３を有し、各枠材の端部が４５度の角度で切断され、端面同士を当接させて溶接することで四周にわたる枠体１が形成されている。
【００３１】
一方、障子２は、合成樹脂材料からなり断面形状が同じ框材である上框２１、下框２２及び左右の竪框２３，２３を有し、各框材の端部が４５度の角度で切断され、端面同士を当接させて溶接することで四周にわたる框体が形成され、框体の内周に複層ガラス２５が配置されている。
【００３２】
（上枠部分の構成）
枠体１の上枠１１は、図３（ａ）に示すように、複数の中空部を有する上枠本体部１１１と、上枠本体部１１１の室内側内周面から内周方向に延設される室内側壁部１１２と、上枠本体部１１１の室内側端から室内方向に延びるアングル部１１３を有している。なお、上枠本体部１１１の中空部内には、真空断熱材等の断熱材が収容されていてもよい。
室内側壁部１１２の室外側面の内周端には、障子２の上框２１の室内側面に当接する気密材ｓ１が配置されている。また、上枠１１の室内側壁部１１２は、室内側下端に内周凸部１１２ａを有している。
【００３３】
障子２の上框２１は、複数の中空部を有する上框本体部２１１と、上框本体部２１１の室外側外周面から外周方向に延設される室外側壁部２１２を有しており、上框本体部２１１の室外側内周部分に押縁２１３が取り付けられ、複層ガラス２５の外周を保持するガラス間口２１１ａが形成されている。
室外側壁部２１２の室内側面の外周端には、上枠１１の上枠本体部１１１の室外側面に当接する気密材ｓ２が配置されている。枠体１の上枠本体部１１１の内周面と障子２の上框本体部２１１の外周面との間には、必要に応じて障子２の横開きを補助するリンク機構４１が配置されている。
【００３４】
そして、本実施形態の断熱建具においては、上枠１１の室内側壁部１１２の内周面に、断熱材６１を収容したケース体５１が内周方向に向かって配置され、障子２の框体の室内側面を覆っている。
【００３５】
上枠１１に取り付けられるケース体５１は、合成樹脂材料からなり、図３（ｂ）に示すように、外周壁部５１ｈと室内壁部５１ｉと室外壁部５１ｊと内周壁部５１ｋを有する断面略矩形の中空形状をしている。
ケース体５１の室内壁部５１ｉは、外周側が外周壁部５１ｈよりも外周側に突出しており、外周壁部５１ｈの室内側には、上枠１１の室内側壁部１１２の内周凸部１１２ａが係合する係合凹部５１ｍが形成されている。
【００３６】
そして、ケース体５１は、中空部が断熱材６１を収容する収容空間Ｓとして形成されており、図３（ｃ）に示すように、収容空間Ｓの中に真空断熱材等の断熱材６１が配置されている。また、ケース体５１の内周壁部５１ｋの室外側から室外側方向に向かって突片５１ｇが形成されている。なお、突片５１ｇは、ケース体５１と同じ硬質の合成樹脂材料によって形成されてもよいが、軟質の合成樹脂材料によって形成されていてもよい。
【００３７】
断熱材６１を収容したケース体５１は、外周壁部５１ｈを上枠１１の室内側壁部１１２の内周面に当接させた状態で、両面テープ等の取付手段によって上枠１１の室内側壁部１１２の内周面を覆うように取り付けられている。
ケース体５１の外周壁部５１ｈを室内側壁部１１２の内周面に当接させた状態では、上枠１１の室内側壁部１１２の内周凸部１１２ａがケース体５１の係合凹部５１ｍに係合することで、ケース体５１の位置ずれを防止しており、安定した取付状態を維持することができる。
【００３８】
上枠１１に取り付けられたケース体５１は、内周端が障子２の上框２１の内周端とほぼ同じ高さ位置となって上框２１の室内側面を覆い、障子２の上框２１の室内側面が室内に露出することを防止している。
そして、内周壁部５１ｄに形成された突片５１ｇが上框２１の室内側下端部分に対して近接もしくは当接することで、上框２１の室内側面とケース体５１の室外壁部５１ｊの室外側面との間に断熱空間Ａを形成している。
【００３９】
以上、ケース体５による断熱構造について上枠部分を用いて説明したが、下枠部分及び左右における断熱構造も上枠部分と同様である。
すなわち、下枠１２は、図３（ａ）に示すように、下枠本体部１２１、室内側壁部１２２及びアングル部１２３を備えており、下框２２は、複数の中空部を有する下框本体部２２１と、下框本体部２２１の室外側外周面から外周方向に延設される室外側壁部２２２を有しており、下框本体部２２１の室外側内周部分に押縁２２３が取り付けられ、複層ガラス２５の外周を保持するガラス間口２２１ａが形成されている。
【００４０】
そして、断熱材６２を収容したケース体５２は、外周壁部５２ｈを下枠１２の室内側壁部１２２の内周面に当接させた状態で、両面テープ等の取付手段によって下枠１２の室内側壁部１２２の内周面を覆うように取り付けられている。
下枠１２に取り付けられたケース体５２は、内周端が障子２の下框２２の内周端とほぼ同じ高さ位置となって下框２２の室内側面を覆い、障子２の下框２２の室内側面が室内に露出することを防止している。
また、内周壁部５２ｄに形成された突片５２ｇが下框２２の室内側下端部分に対して近接もしくは当接することで、下框２２の室内側面とケース体５２の室外壁部５２ｊの室外側面との間に断熱空間を形成している。
【００４１】
また、竪枠１３は、図４に示すように、竪枠本体部１３１、室内側壁部１３２及びアングル部１３３を備えており、竪框２３は、複数の中空部を有する竪框本体部２３１と、竪框本体部２３１の室外側外周面から外周方向に延設される室外側壁部２３２を有しており、竪框本体部２３１の室外側内周部分に押縁２３３が取り付けられ、複層ガラス２５の外周を保持するガラス間口２３１ａが形成されている。
【００４２】
枠体１の左の竪枠１３と障子２の左の竪框２３は、ヒンジ４５によって揺動自在に連結されており、右の竪枠１３の竪枠本体部１３１の内周面と障子２の右の竪框２３の竪框本体部２３１の外周面との間には、障子２の閉鎖状態を維持するロック機構４４が配置されている。
【００４３】
そして、断熱材６３を収容したケース体５３は、外周壁部５３ｈを竪枠１３の室内側壁部１３２の内周面に当接させた状態で、両面テープ等の取付手段によって竪枠１３の室内側壁部１３２の内周面を覆うように取り付けられている。
竪枠１３に取り付けられたケース体５３は、内周端が障子２の竪框２３の内周端とほぼ同じ位置となって竪框２３の室内側面を覆い、障子２の竪框２３の室内側面が室内に露出することを防止している。
【００４４】
また、内周壁部５３ｄに形成された突片５３ｇが竪框２３の室内側内周端部分に対して近接もしくは当接することで、竪框２３の室内側面とケース体５３の室外壁部５３ｊの室外側面との間に断熱空間を形成している。
なお、障子２の右の竪框２３にハンドル４６が取り付けられており、右の竪枠１３のケース体５３はハンドル４６の取付部分において一部切り欠かれている。
【００４５】
以上の本実施形態の断熱建具においては、図５（ｂ）に示すように、枠体１の内周にケース体５を配置することで、ケース体５は、障子２の框体の室内側面を覆うことができ、建具に対してさらに高い断熱性能を付与することができる。
【００４６】
−第３の実施形態−
第３の実施形態の断熱建具について、図６（ａ），（ｂ）に示す、上枠部分の竪断面の図面を用いて説明する。なお、第３の実施形態の断熱建具の枠体１及び障子２自体の構成は、第１の実施形態の断熱建具の枠体１及び障子２と同様であって、ケース体５１及び断熱材６１の構成において違いが存在する。
また、第３の実施形態の建具は、第１及び第２の実施形態の建具と同様に、枠体１を構成する各枠材は同一の断面形状を有しており、各枠においてケース体５１を取り付けてなる断熱構造に差異はないので、本実施形態の説明においては、下枠部分及び竪枠部分については省略する。
【００４７】
本実施形態においては、上枠１１に取り付けられるケース体５１は、第１の実施形態のケース体と同様に、合成樹脂材料からなり、上枠１１のアングル部１１３の内周面に当接される外周壁部５１ａと、外周壁部５１ａの室外側端から下方に延びる外周側室外壁部５１ｂと、外周壁部５１ａの室内側端から下方に延びる室内壁部５１ｃと、室内壁部５１ｃの下端から室外側に延びる内周壁部５１ｄと、内周壁部５１ｄの室外側端から上方に延びる内周側室外壁部５１ｅと、内周側室外壁部５１ｅの上端から室内側に向かって延びる固定壁部５１ｆを有し、全体として断熱材６１を収容する収容空間Ｓを形成している。
【００４８】
したがって、本実施形態のケース体５１は、室内壁部５１ｃが見付方向に垂直な面として形成されており、収容空間Ｓ内には、断熱材６１の内周側を室外方向に近づけるように規制する規制片５１ｎが設けられている点で、第１の実施形態のケース体５１と異なっている。
そして、収容空間Ｓの中には、真空断熱材６１が規制片５１ｎに沿って内周側に曲げられて収容されている。
このため断熱材６１の内周端部を障子２に近接させて配置することができるので、障子２の室内側を通って冷熱が伝達することを抑制することができ、断熱性を向上させることができる。
【００４９】
そして、断熱材６１を収容したケース体５１は、第１の実施形態と同様に、外周壁部５１ａを上枠１１のアングル部１１３の内周面に当接させるとともに、固定壁部５１ｆを上枠の室内側壁部１１２の内周面に当接させて、開口部ａを上枠１１の室内側面によって閉鎖した状態で、両面テープ等の取付手段によって上枠１１の室内側に露出する部分を覆うように取り付けられている。
上枠１に取り付けられたケース体５１は、収容空間Ｓによって上枠１１の室内側面及び障子２の上框２１の室内側面を覆っている。
【００５０】
−第４の実施形態−
第４の実施形態の断熱建具について、図６（ｃ），（ｄ）に示す、上枠部分の竪断面の図面を用いて説明する。なお、第４の実施形態の断熱建具の枠体１及び障子２自体の構成は、第１の実施形態の断熱建具の枠体１及び障子２と同様であって、ケース体５１及び断熱材６１の構成において違いが存在する。
また、第４の実施形態の建具は、第１及び第２の実施形態の建具と同様に、枠体１を構成する各枠材は同一の断面形状を有しており、各枠においてケース体５１を取り付けてなる断熱構造に差異はないので、本実施形態の説明においては、下枠部分及び竪枠部分については省略する。
【００５１】
本実施形態においては、上枠１１に取り付けられるケース体５１は、第１の実施形態のケース体と同様に、合成樹脂材料からなり、上枠１１のアングル部１１３の内周面に当接される外周壁部５１ａと、外周壁部５１ａの室外側端から下方に延びる外周側室外壁部５１ｂと、外周壁部５１ａの室内側端から下方に延びる室内壁部５１ｃと、室内壁部５１ｃの下端から室外側に延びる内周壁部５１ｄと、内周壁部５１ｄの室外側端から上方に延びる内周側室外壁部５１ｅと、内周側室外壁部５１ｅの上端から室内側に向かって延びる中間壁部５１ｏと、中間壁部５１ｏの外周面から外周方向に突出する立上壁部５１ｐを有している。
【００５２】
本実施形態のケース体５１は、中間壁部５１ｏによって断熱材６１の収容空間が上下に分割されており、内周側に形成される収容空間Ｓ２部分は、外周側に形成される収容空間Ｓ１部分よりも見込み方向の寸法が大きく形成されている。
【００５３】
そして、外周側に形成される収容空間Ｓ１は、外周側室外壁部５１ｂと立上壁部５１ｐとの間に開口部ａが形成されており、収容空間Ｓ１の中には、真空断熱材等の断熱材６１ａが配置されている。また、内周側に形成される収容空間Ｓ２は、開口部が形成されていない中空部として形成されており、収容空間Ｓ２の中には、断熱材６１ｂが配置されている。
なお、内周側の収容空間Ｓ２の中に配置される断熱材６１ｂは、真空断熱材とは異なる切断加工が可能な発泡プラスチック系断熱材等を配置してもよい。
【００５４】
断熱材６１ａ，６１ｂを収容したケース体５１は、外周壁部５１ａを上枠１１のアングル部１１３の内周面に当接させるとともに、中間壁部５１ｏの室外側外周面を上枠の室内側壁部１１２の内周面に当接させて、開口部ａを上枠１１の室内側面によって閉鎖した状態で、両面テープ等の取付手段によって上枠１１の室内側に露出する部分を覆うように取り付けられている。
上枠１に取り付けられたケース体５１は、外周側に形成される収容空間Ｓ１部分によって上枠１１の室内側面を覆い、内周側に形成される収容空間Ｓ２部分によって障子２の上框２１の室内側面を覆っている。
【００５５】
以上のように、第３、４の実施形態の断熱建具においては、第１の実施形態と同様に、ケース体５は、枠体１の室内側面から障子２の框体の室内側面に亘る広い範囲を覆うことができ、建具に対してさらに高い断熱性能を付与することができる。
なお、ケース体５１の内周壁部５１ｄの室外側から室外側方向に向かって突片５１ｇが形成されていてもよく、突片５１ｇの構成については、第１の実施形態と同様である。
【００５６】
次に、第３、４の実施形態における右の竪框２３のハンドル部分を用いて、ケース体５１のハンドル４６を取り付ける部分の構成について、説明する。
第３の実施形態の断熱建具の右の竪框２３においては、図７（ａ），（ｂ）に示すように、ハンドル部分においてケース体５３の内周側が切りかかれており、切り欠き部分を塞ぐようにハンドル４６が配置されている。
【００５７】
ケース体５３の収容空間Ｓに収容された真空断熱材等の断熱材６３は、ハンドル４６の上方位置及び下方位置まで収容されており、ハンドル部分には収容されていない。そして、ハンドル部分の外周側には、例えば発泡ポリエチレン等の切断加工が容易な断熱材６５が収容されている。
【００５８】
また、第４の実施形態の断熱建具の右の竪框２３においては、ハンドル部分においてケース体５３の内周側が切りかかれており、切り欠き部分を塞ぐようにハンドル４６が配置されている。
ケース体５３の外周側の収容空間Ｓ１に収容された真空断熱材等の断熱材６３ａは、ハンドル部分においても上下に連続して配置されており、ケース体５３の内周側の収容空間Ｓ２に収容された断熱材６３ｂは、ハンドル部の上方位置及び下方位置まで収容されており、ハンドル部分には収容されていない。
【００５９】
このように、竪框２３のハンドル部分においては、ケース体５３を切り欠いてハンドル４６を取り付けると共に、ハンドル４６を避けるように断熱材６が配置されることで、枠体１の四周にわたって断熱材６を配置することができる。
【００６０】
以上のように、上記実施形態の断熱建具においては、建具の枠体１に対して、室内側に露出する部分に断熱材６を収容したケース体５を取り付けることで、簡単な加工によって断熱性能を向上させることができる。
特に、枠体１の内周面から内周方向に突出するように断熱材６を収容したケース体５を配置することで、ケース体５によって障子２の框体の室内側面を覆って、断熱性を高めるとともに、意匠的にも優れた建具を提供することができる。
【００６１】
そして、障子２の框体の室内側面をケース体５で覆うことによって、框体の室内側に気密材ｓ１と突片５１ｇとによって区画された断熱空間を形成することができ、さらに断熱性能を向上させることができる。
【００６２】
また、ケース体５に開口部ａを設けることで、断熱材６の収容を容易にすることができ、ケース体５を枠体１に取り付ける際には、開口部ａを枠体１によって塞ぐことで、収容された断熱材６を保護することができ、高い断熱性能を保つことができる。
【００６３】
また、ケース体５を取り付ける枠体１は、図８（ａ）に示すように、連窓を構成する方立であってもよい。
その際には、ケース体５５の収容空間は、ひとつの大きな収容空間Ｓでもよいが、図８（ｂ）に示すように、見付け方向に分割した複数の収容空間Ｓ１，Ｓ２によって形成されていてもよい。
【００６４】
さらに、図９に示すように、竪枠１３，１３に取り付けられたケース体５３の室内側にさらに網戸等の付加機能部材７を配置してもよく、もしくは付加機能を有する部材をケース体５３に一体的に形成してもよい。
【００６５】
また、ケース体５が取り付けられる上枠、下枠及び左右の竪枠の材料、形状は、限定されるものではない。例えば、枠体等は合成樹脂製やアルミ合金からなるものでも、また、それらの複合サッシでも良い。また、枠体は、断面形状が同一のものでなくてもよく、アングル部を備えないものであってもよい。その場合には、ケース体を躯体の内周面に当接させて躯体とケース体にわたってコーキング等の接着剤を塗布しても良い。
また、ケース体５の断面形状も各枠体に応じて異なる断面形状のものであってもよい。
【００６６】
また、ケース体５に収容される断熱材６は、真空断熱材に限定されるものではなく、例えば発泡プラスチック系断熱材を用いることもでき、場合によっては、断熱材を収容しなくてもよい。
また、収容する断熱材６１は、収容空間Ｓの形状に合わせて形成されたものでもよいが、所定の寸法を有する断熱材を適宜個数収容してもよく、その際に、寸法及び材質の異なる複数種類の断熱材を配置してもよい。収容する断熱材６１所定の寸法とすることで、コストダウンができ、また、開口部から収容することで施工性も良い。さらに、真空断熱材以外の切断可能な断熱材を用いることによっても、施工性を向上させることができる。
さらに、断熱材６１は、開口部ａからケース体５１の内面に発泡断熱剤を吹き付けることによって形成（収容）してもよい。
【００６７】
また、ケース体５は、既設の建具の枠体に対して、後付けによって取り付けられるものであってよい。ケース体５の取付には、構造用両面テープ等を用いることができるが、接着剤による接着でもよく、さらには、面ファスナー等の取付手段によって取り付けても良く、何ら限定されるものではない。
【００６８】
さらに、断熱建具は、開き窓やすべり出し窓、ＦＩＸ窓に限定されるものではなく、引違い窓等建具の種類は何ら限定されるものではない。
なお、以上の実施形態は，請求項に記載された発明を限定するものではなく，例示として取り扱われることは言うまでもない。
【符号の説明】
【００６９】
１        ：枠体
１１      ：上枠
１２      ：下枠
１３      ：竪枠
２        ：障子
２１      ：上框
２２      ：下框
２３      ：竪框
５        ：ケース体
５１〜５３：ケース体
６        ：断熱材
６１〜６３：断熱材
Ｓ        ：収容空間
Ｓ１      ：収容空間
Ｓ２      ：収容空間
ａ        ：開口部
【図１】
2020070665.tif 000003
【図２】
2020070665.tif 000004
【図３】
2020070665.tif 000005
【図４】
2020070665.tif 000006
【図５】
2020070665.tif 000007
【図６】
2020070665.tif 000008
【図７】
2020070665.tif 000009
【図８】
2020070665.tif 000010
【図９】
2020070665.tif 000011